(57)【要約】【課題】  少ない操作回数で且つスクロール前後の表示箇所の関係を把握しながら情報全体を閲覧することを可能にする。【解決手段】  画像データを取得し、取得した画像データをメモリ１７に記憶し、メモリ１７に記憶した画像データを基に表示部１３に１ページ目の画像の表示を行う。操作部１４のスクロール割当キーである十字キーが操作されると、表示スクロール部１８ｅはメモリ１７に記憶された画像データに基づき、表示部１３の表示内容を現在の表示内容から１画面分スクロールさせた後の表示内容までアニメーションさせながらスクロールさせる。【選択図】  図２
2006099580.tif 000002
【特許請求の範囲】
【請求項１】
表示データを取得する取得手段と、
前記取得手段により取得される前記表示データを記憶する記憶手段と、
前記記憶手段に記憶されている表示データに基づく表示を行う表示手段と、
前記表示手段の表示内容のスクロールを指示するためのスクロール指示手段と、
前記スクロール指示手段に対する指示操作があると、前記記憶手段に記憶されている表示データに基づき、前記表示手段の表示内容を現在の表示内容からある量スクロールさせた後の表示内容までアニメーションさせながらスクロールさせる表示スクロール手段と、
を備えたことを特徴とする情報表示装置。
【請求項２】
前記ある量が前記表示手段のスクロール方向の長さであることを特徴とする請求項１に記載の情報表示装置。
【請求項３】
前記表示スクロール手段が前記ある量スクロールさせる前にスクロール方向の表示データの全てを表示することになるか否かを判断する判断手段をさらに備え、
前記表示スクロール手段は、前記判断手段により全てを表示することになると判断される場合、前記アニメーションさせながらのスクロールを前記スクロール方向の表示データの全てが表示された時点で中断することを特徴とする請求項１または請求項２に記載の情報表示装置。
【請求項４】
主表示データおよび該主表示データ内の領域に割り当てられた補助データを取得する取得手段と、
前記取得手段により取得される前記主表示データおよび該主表示データ内の領域に割り当てられた補助データを記憶する記憶手段と、
前記記憶手段に記憶されている主表示データに基づく表示を行う表示手段と、
前記表示手段の表示内容の移動を指示するための移動指示手段と、
前記移動指示手段に対する指示操作があると、前記記憶手段に記憶されている主表示データに基づき、前記表示手段の表示内容を移動させる表示移動手段と、
前記補助データの出力を指示するための出力指示手段と、
前記出力指示手段に対する指示操作があると、前記表示手段の予め定められている領域に表示されている前記主表示データの領域を特定する領域特定手段と、
前記領域特定手段に特定される主表示データの領域に割り当てられている補助データを前記記憶手段から取り出し出力する補助データ出力手段と、
を備えたことを特徴とする情報表示装置。
【請求項５】
表示データを取得する取得手順と、
前記取得手順において取得された前記表示データを記憶手段に記憶する記憶手順と、
前記記憶手段に記憶された表示データに基づき、表示手段に表示内容を表示する表示手順と、
前記表示手段の表示内容のスクロールの指示があると、前記記憶手段に記憶されている表示データに基づき、前記表示手段の表示内容を現在の表示内容からある量スクロールさせた後の表示内容までアニメーションさせながらスクロールさせる表示スクロール手順と、
を有することを特徴とする情報表示方法。
【請求項６】
前記ある量スクロールさせる前にスクロール方向の表示データの全てを表示することになるか否かを判断する判断手順をさらに備え、
前記表示スクロール手順は、前記判断手順において全てを表示することになると判断される場合、前記アニメーションさせながらのスクロールを前記スクロール方向の表示データの全てが表示された時点で中断することを特徴とする請求項５に記載の情報表示方法。
【請求項７】
主表示データおよび該主表示データ内の領域に割り当てられた補助データを取得する取得手順と、
前記取得手順において取得された前記主表示データおよび該主表示データ内の領域に割り当てられた補助データを記憶手段に記憶する記憶手順と、
前記記憶手段に記憶された主表示データに基づき、表示手段に表示内容を表示する表示手順と、
前記表示手段の表示内容の移動指示があると、前記記憶手段に記憶されている主表示データに基づき、前記表示手段の表示内容を移動させる表示移動手順と、
前記補助データの出力指示があると、前記表示手段の予め定められている領域に表示されている前記主表示データの領域を特定する領域特定手順と、
前記領域特定手順において特定される主表示データの領域に割り当てられている補助データを前記記憶手段から取り出し出力する補助データ出力手順と、
を備えたことを特徴とする情報表示方法。
【請求項８】
コンピュータを、
表示データを取得する取得手段、
前記取得手段により取得される前記表示データを記憶する記憶手段、
前記記憶手段に記憶されている表示データに基づく表示を行う表示手段、
前記表示手段の表示内容のスクロールを指示するためのスクロール指示手段、および
前記スクロール指示手段に対する指示操作があると、前記記憶手段に記憶されている表示データに基づき、前記表示手段の表示内容を現在の表示内容からある量スクロールさせた後の表示内容までアニメーションさせながらスクロールさせる表示スクロール手段、
として機能させることを特徴とする情報表示プログラム。
【請求項９】
コンピュータを、
前記表示スクロール手段が前記ある量スクロールさせる前にスクロール方向の表示データの全てを表示することになるか否かを判断する判断手段としてさらに機能させ、
前記表示スクロール手段は、前記判断手段により全てを表示することになると判断される場合、前記アニメーションさせながらのスクロールを前記スクロール方向の表示データの全てが表示された時点で中断することを特徴とする請求項８に記載の情報表示プログラム。
【請求項１０】
コンピュータを、
主表示データおよび該主表示データ内の領域に割り当てられた補助データを取得する取得手段、
前記取得手段により取得される前記主表示データおよび該主表示データ内の領域に割り当てられた補助データを記憶する記憶手段、
前記記憶手段に記憶されている主表示データに基づく表示を行う表示手段、
前記表示手段の表示内容の移動を指示するための移動指示手段、
前記移動指示手段に対する指示操作があると、前記記憶手段に記憶されている主表示データに基づき、前記表示手段の表示内容を移動させる表示移動手段、
前記補助データの出力を指示するための出力指示手段、
前記出力指示手段に対する指示操作があると、前記表示手段の予め定められている領域に表示されている前記主表示データの領域を特定する領域特定手段、および
前記領域特定手段に特定される主表示データの領域に割り当てられている補助データを前記記憶手段から取り出し出力する補助データ出力手段、
として機能させることを特徴とする情報表示プログラム。
【発明の詳細な説明】
【技術分野】
【０００１】
本発明は、１画面に表示しきれない情報をスクロールさせて表示する、または、画像に付属した付属情報を表示する情報表示装置、情報表示方法、および情報表示プログラムに関する。
【背景技術】
【０００２】
近年、携帯電話機などの携帯端末において、インターネットに接続してコンテンツを閲覧することが可能になっているが、携帯端末の表示画面のサイズが小さいことからコンテンツ全体を１画面で表示しきれないことが多い。このため、利用者が容易な操作で全体を閲覧できるように、利用者が携帯端末に設けられた該当するキーを操作することによって、表示内容を１行分スクロール、或いは、１画面分スクロールさせる機能を携帯端末に搭載するものが開示されている（例えば、特許文献１、特許文献２参照。）。
【特許文献１】特開２００２−１４９３０１号公報
【特許文献２】特開２００１−２４５３５１号公報
【発明の開示】
【発明が解決しようとする課題】
【０００３】
ところが、１行分のスクロールでは、全体を閲覧するために利用者が相当回数のキー操作を行う必要がある。また、１画面分のスクロールでは、次の画面に一瞬に切り替わるために利用者（閲覧者）はスクロール前後の表示箇所の関係を把握しづらいことがある。
【０００４】
また、パーソナルコンピュータなどでは、画面表示されたコンテンツを構成する画像に従属する付属情報を表示させる場合には、マウスなどのポインティングデバイスを利用して、表示させたい付属情報が従属した画像の表示領域を指定することによって容易に行うことができる。しかしながら、ポインティングデバイスを有しない携帯電話機などでは、表示させたい付属情報が従属した画像の表示領域を直接指定することは困難である。
【０００５】
そこで、本発明は、少ない操作回数で且つスクロール前後の表示箇所の関係を把握しながら表示データ全体を閲覧することを可能にする情報表示装置、情報表示方法、および情報表示プログラムを提供することを目的とする。また、容易な操作で主表示データに付属した補助データを出力することが可能な情報表示装置、情報表示方法、および情報表示プログラムを提供することを目的とする。
【課題を解決するための手段】
【０００６】
請求項１に記載の情報表示装置は、表示データを取得する取得手段と、前記取得手段により取得される前記表示データを記憶する記憶手段と、前記記憶手段に記憶されている表示データに基づく表示を行う表示手段と、前記表示手段の表示内容のスクロールを指示するためのスクロール指示手段と、前記スクロール指示手段に対する指示操作があると、前記記憶手段に記憶されている表示データに基づき、前記表示手段の表示内容を現在の表示内容からある量スクロールさせた後の表示内容までアニメーションさせながらスクロールさせる表示スクロール手段と、を備えたことを特徴とする。
【０００７】
請求項２に記載の情報表示装置は、前記ある量が前記表示手段のスクロール方向の長さであることを特徴とする。
【０００８】
請求項３に記載の情報表示装置は、前記表示スクロール手段が前記ある量スクロールさせる前にスクロール方向の表示データの全てを表示することになるか否かを判断する判断手段をさらに備え、前記表示スクロール手段は、前記判断手段により全てを表示することになると判断される場合、前記アニメーションさせながらのスクロールを前記スクロール方向の表示データの全てが表示された時点で中断することを特徴とする。
【０００９】
請求項４に記載の情報表示装置は、主表示データおよび該主表示データ内の領域に割り当てられた補助データを取得する取得手段と、前記取得手段により取得される前記主表示データおよび該主表示データ内の領域に割り当てられた補助データを記憶する記憶手段と、前記記憶手段に記憶されている主表示データに基づく表示を行う表示手段と、前記表示手段の表示内容の移動を指示するための移動指示手段と、前記移動指示手段に対する指示操作があると、前記記憶手段に記憶されている主表示データに基づき、前記表示手段の表示内容を移動させる表示移動手段と、前記補助データの出力を指示するための出力指示手段と、前記出力指示手段に対する指示操作があると、前記表示手段の予め定められている領域に表示されている前記主表示データの領域を特定する領域特定手段と、前記領域特定手段に特定される主表示データの領域に割り当てられている補助データを前記記憶手段から取り出し出力する補助データ出力手段と、を備えたことを特徴とする。
【００１０】
請求項５に記載の情報表示方法は、表示データを取得する取得手順と、前記取得手順において取得された前記表示データを記憶手段に記憶する記憶手順と、前記記憶手段に記憶された表示データに基づき、表示手段に表示内容を表示する表示手順と、前記表示手段の表示内容のスクロールの指示があると、前記記憶手段に記憶されている表示データに基づき、前記表示手段の表示内容を現在の表示内容からある量スクロールさせた後の表示内容までアニメーションさせながらスクロールさせる表示スクロール手順と、を有することを特徴とする。
【００１１】
請求項６に記載の情報表示方法は、前記ある量スクロールさせる前にスクロール方向の表示データの全てを表示することになるか否かを判断する判断手順をさらに備え、前記表示スクロール手順は、前記判断手順において全てを表示することになると判断される場合、前記アニメーションさせながらのスクロールを前記スクロール方向の表示データの全てが表示された時点で中断することを特徴とする。
【００１２】
請求項７に記載の情報表示方法は、主表示データおよび該主表示データ内の領域に割り当てられた補助データを取得する取得手順と、前記取得手順において取得された前記主表示データおよび該主表示データ内の領域に割り当てられた補助データを記憶手段に記憶する記憶手順と、前記記憶手段に記憶された主表示データに基づき、表示手段に表示内容を表示する表示手順と、前記表示手段の表示内容の移動指示があると、前記記憶手段に記憶されている主表示データに基づき、前記表示手段の表示内容を移動させる表示移動手順と、前記補助データの出力指示があると、前記表示手段の予め定められている領域に表示されている前記主表示データの領域を特定する領域特定手順と、前記領域特定手順において特定される主表示データの領域に割り当てられている補助データを前記記憶手段から取り出し出力する補助データ出力手順と、を備えたことを特徴とする。
【００１３】
請求項８に記載の情報表示プログラムは、コンピュータを、表示データを取得する取得手段、前記取得手段により取得される前記表示データを記憶する記憶手段、前記記憶手段に記憶されている表示データに基づく表示を行う表示手段、前記表示手段の表示内容のスクロールを指示するためのスクロール指示手段、および前記スクロール指示手段に対する指示操作があると、前記記憶手段に記憶されている表示データに基づき、前記表示手段の表示内容を現在の表示内容からある量スクロールさせた後の表示内容までアニメーションさせながらスクロールさせる表示スクロール手段、として機能させることを特徴とする。
【００１４】
請求項９に記載の情報表示プログラムは、コンピュータを、前記表示スクロール手段が前記ある量スクロールさせる前にスクロール方向の表示データの全てを表示することになるか否かを判断する判断手段としてさらに機能させ、前記表示スクロール手段は、前記判断手段により全てを表示することになると判断される場合、前記アニメーションさせながらのスクロールを前記スクロール方向の表示データの全てが表示された時点で中断することを特徴とする。
【００１５】
請求項１０に記載の情報表示プログラムは、コンピュータを、主表示データおよび該主表示データ内の領域に割り当てられた補助データを取得する取得手段、前記取得手段により取得される前記主表示データおよび該主表示データ内の領域に割り当てられた補助データを記憶する記憶手段、前記記憶手段に記憶されている主表示データに基づく表示を行う表示手段、前記表示手段の表示内容の移動を指示するための移動指示手段、前記移動指示手段に対する指示操作があると、前記記憶手段に記憶されている主表示データに基づき、前記表示手段の表示内容を移動させる表示移動手段、前記補助データの出力を指示するための出力指示手段、前記出力指示手段に対する指示操作があると、前記表示手段の予め定められている領域に表示されている前記主表示データの領域を特定する領域特定手段、および前記領域特定手段に特定される主表示データの領域に割り当てられている補助データを前記記憶手段から取り出し出力する補助データ出力手段、として機能させることを特徴とする。
【発明の効果】
【００１６】
請求項１、５、８によれば、表示手段の表示内容をアニメーションさせながらある量スクロールさせるため、少ない操作回数で表示データの全体を閲覧することができるとともに、スクロール前後の表示データの表示箇所の関係の把握が可能になる。
【００１７】
請求項２によれば、１回の操作で表示手段の１画面分スクロールするので、全体を閲覧するのに必要は操作回数が非常に少ないという利点が得られる。
【００１８】
請求項３、６、９によれば、１つの表示データについて表示手段の画面全体を使用して表示されることになり、利用者は閲覧しやすくなる。
【００１９】
請求項４、７、１０によれば、出力させたい補助データが割り当てられた主表示データの領域を表示手段の予め定められた領域に移動させれば補助データを出力させることができるため、主表示データに付属した補助データの出力を容易な操作で行うことが可能になる。
【発明を実施するための最良の形態】
【００２０】
以下、本発明の好適な実施の形態について図面を参照しつつ説明する。
【００２１】
本発明の実施の形態における携帯電話機の機能について図１および図２を参照しつつ説明する。図１は携帯電話機の概観を示す斜視図であり、図２は携帯電話機の機能構成を示す機能ブロック図である。なお、本実施の形態では情報表示装置として携帯電話機を例に挙げるが、携帯電話機以外の装置であってもよい。
【００２２】
携帯電話機１は、図２に示すように、アンテナ１１、無線部１２、表示部１３、操作部１４、マイク１５、スピーカ１６、メモリ１７、および制御部１８として機能する各部を有している。無線部１２はアンテナ１１を介してデータや音声などを送信し、受信する。表示部１３は、液晶ディスプレイなどにより構成されており、表示部１３には携帯電話機１がインターネットを介して取得した画像データ（表示データ、主表示データに対応）やその画像データ内の領域に割り当てられた付属情報データ（補助データに対応）などを表示する。
【００２３】
操作部１４は、図１に示すように、数字キー１４ａや機能キー１４ｂ、十字キー１４ｃや確定キー１４ｄなどにより構成されている。本実施の形態では、表示部１３の表示内容をスクロールさせる際に操作するキー（スクロール指示手段、移動指示手段）として十字キー１４ｃを割り当てており、以下、適宜、スクロール割当キーという。具体的には、表示部１３に現在表示されている画像の左側に位置する画像を表示部１３にスクロールさせて表示させる（図３（ａ），（ｂ）または図３（ａ），（ｃ）参照）キーとして十字キー１４ｃの左方向キー１４ｃ１を割り当てている（このスクロールを左スクロールという。）。表示部１３に現在表示されている画像の右側に位置する画像を表示部１３にスクロールさせて表示させるキーとして十字キー１４ｃの右方向キー１４ｃ３を割り当てている（このスクロールを右スクロールという。）。表示部１３に現在表示されている画像の上側に位置する画像を表示部１３にスクロールさせて表示させるキーとして十字キー１４ｃの上方向キー１４ｃ４を割り当てている（このスクロールを上スクロールという。）。表示部１３に現在表示されている画像の下側に位置する画像を表示部１３にスクロールさせて表示させるキーとして十字キー１４ｃの下方向キー１４ｃ２を割り当てている（このスクロールを下スクロールという。）。
【００２４】
本実施の形態では、表示部１３の表示内容をスライドさせる際に操作するキー（移動指示手段）として数字キー１４ａを割り当てており、以下、適宜、スライド割当キーという。具体的には、表示部１３に現在表示されている画像内の右側の所定量（例えば１ピクセル分の列）を除いた画像および現在表示されている画像の所定量左側に位置する画像を表示させる（図３（ａ），（ｄ）参照）キーとして数字キー１４ａの“４”を割り当てている（このスライドを左スライドという。）。表示部１３に現在表示されている画像内の左側の所定量を除いた画像および現在表示されている画像の所定量右側に位置する画像を表示させるキーとして数字キー１４ａの“６”を割り当てている（このスライドを右スライドという。）。表示部１３に現在表示されている画像内の下側の所定量を除いた画像および現在表示されている画像の所定量上側に位置する画像を表示させるキーとして数字キー１４ａの“２”を割り当てている（このスライドを上スライドという。）。表示部１３に現在表示されている画像内の上側の所定量を除いた画像および現在表示されている画像の所定量下側に位置する画像を表示させるキーとして数字キー１４ａの“８”を割り当てている（このスライドを下スライドという。）。なお、携帯電話機１の利用者はスクロール割当キーやスライド割当キーを操作することによって表示部１３の画像を変え、画像の位置を変えることができる。
【００２５】
本実施の形態では、付属情報データを呼び出して出力する際に操作するキー（出力指示手段）として確定キー１４ｄを割り当てており、以下、適宜、付属出力割当キーという。なお、スクロール割当キー、スライド割当キー、付属出力割当キーとして上記以外のキーを割り当てるようにしてもよい。
【００２６】
マイク１５は音を収集するものであり、スピーカ１６は音を出力するものである。また、メモリ１７は情報を記憶するものであって、本実施の形態では、携帯電話機１がインターネットを介して取得した画像データとその画像データ内の領域に割り当てられた付属情報データとを記憶する。ただし、付属情報として、テキスト情報、ＵＲＬ、別の画像、別の動画像、別の動画像と音声情報、インデックス（目次情報）などがある。なお、例えば、制御部１８がメモリ１７に記憶された画像データの何れの部分を表示部１３に表示するかを判断するために、メモリ１７に記憶された画像データの何れの部分が表示部１３に表示されていてスクロールさせるために１画面分以上残っているかを判断するために、呼び出す付属情報を特定する際に表示部１３の予め定められた領域に画像データのどの領域が表示されているかを判断するために、座標（Ｘ座標、Ｙ座標）を利用して画像データの位置が分かるようにメモリ１７では記憶している。
【００２７】
制御部１８は、携帯電話機１の各部を制御するものであって、通信処理部１８ａ、初期表示処理部１８ｂ、操作キー判断部１８ｃ、残表示量判断部１８ｄ、表示スクロール部１８ｅ、表示スライド部１８ｆ、領域特定部１８ｇ、付属情報特定部１８ｈ、および付属情報出力処理部１８ｉとして機能する各部を有している。通信処理部１８ａは、無線部１２を制御し、アンテナ１１および無線部１２を介して取得した例えば画像データや付属情報データをメモリ１７に格納する。初期表示処理部１８ｂは、メモリ１７に記憶された画像データを基に１画面分の画像を表示部１３に表示する。
【００２８】
操作キー判断部１８ｃは操作部１４の何れかのキーが操作（押下）されたかを判断し、さらに、操作部１４の操作されたキーが何れのキーであるかを判断する。操作キー判断部１８ｃはスクロール割当キーである十字キー１４ｃに対する操作であると判断した場合には、十字キー１４ｃの操作されたキーを基にスクロール方向を判断し、残表示量判断部１８ｄおよび表示スクロール部１８ｅに対してスクロール方向を示すスクロール方向信号を出力する。操作キー判断部１８ｃはスライド割当キーである数字キー１４ａに対する操作であると判断した場合には、数字キー１４ａの操作されたキーを基にスライド方向を判断し、表示スライド部１８ｆに対してスライド方向を示すスライド方向信号を出力する。操作キー判断部１８ｃは付属出力割当キーである確定キー１４ｄに対する操作であると判断した場合には、現在表示部１３の予め定められた領域（例えば、画面中央部）に表示されている画像の領域を特定することを指令する領域特定信号を領域特定部１８ｇに対して出力する。
【００２９】
残表示量判断部１８ｄは、操作キー判断部１８ｃからスクロール方向信号があると、メモリ１７に記憶されている画像データを基に、その信号が示すスクロール方向にスクロールさせるための画像データが１画面分以上残っているかを判断する。残表示量判断部１８ｄは、その判断結果（１画面分以上残っている、或いは、１画面分残っていない）を示す残表示量信号を表示スクロール部１８ｅへ出力する。図３（ａ）を用いて説明すれば、画像データの画像Ａ（表示部１３の１画面分）が現在表示部１３に表示されているとすると、十字キー１４ｃの左方向キー１４ｃ１が操作された場合、画像Ａの左側に１画面分の画像Ｂと１画面分に満たない画像Ｃが残っているので、残表示量判断部１８ｄは１画面分以上残っていると判断する。一方、画像データの画像Ｂが現在表示部１３に表示されているとすると、十字キー１４ｃの左方向キー１４ｃ１が操作された場合、画像Ｂの左側に１画面分に満たない画像Ｃしか残っていないので、残表示量判断部１８ｄは１画面分残っていないと判断する。
【００３０】
表示スクロール部１８ｅは、操作キー判断部１８ｃからスクロール方向信号があり、残表示量判断部１８ｄから残表示量信号があると、残表示量信号が１画面分以上残っていることを示している場合には、メモリ１７に記憶されている画像データを基に、表示部１３の表示内容をスクロール方向信号が示すスクロール方向にアニメーションさせながら１画面分スクロールさせる。これを図３（ａ）および図３（ｂ）を用いて説明する。図３（ａ）はメモリ１７に記憶されている画像データの全体を示し、図３（ｂ）はスクロール時の表示部１３の表示内容の変わる様子の概要を示している。表示部１３に画像データの画像Ａが表示されていて左スクロールの場合、図３（ｂ）に示すように、スクロール時の表示部１３にはスクロール方向に画像データを所定量（例えば１ピクセル分）スライドさせた画像を順次表示させながら、画像Ａから画像Ｂまでスクロールさせる。
【００３１】
表示スクロール部１８ｅは、残表示量信号が１画面分残っていないことを示している場合には、メモリ１７に記憶されている画像データを基に、表示部１３の表示内容をスクロール方向信号が示すスクロール方向にアニメーションさせながらスクロールさせ、スクロール方向にスクロールさせるための画像がなくなるとスクロールを中断する。これを図３（ａ）および図３（ｃ）を用いて説明する。図３（ａ）はメモリ１７に記憶されている画像データの全体を示し、図３（ｃ）はスクロール時の表示部１３の表示内容の変わる様子の概要を示している。表示部１３に画像データの画像Ｂが表示されていて左スクロールの場合、図３（ｃ）に示すように、スクロール時の表示部１３にはスクロール方向に画像データを所定量（例えば１ピクセル分）スライドさせた画像を順次表示させながら、画像Ｃの全てが表示部１３に表示された時点でスクロールを中断する。
【００３２】
表示スライド部１８ｆは、操作キー判断部１８ｃからスライド方向信号があると、メモリ１７に記憶されている画像データを基に、表示部１３の表示内容をスライド方向信号が示すスライド方向に所定量スライドさせる。これを図３（ａ）および図３（ｄ）を用いて説明する。図３（ａ）はメモリ１７に記憶されている画像データの全体を示し、図３（ｄ）は表示部１３のスライド前後の表示内容の概要を示している。表示部１３に画像データの画像Ａが表示されていて左スライドの場合、図３（ｄ）に示すように、スライド後の表示部１３にはスライド方向に画像データを所定量（例えば１ピクセル分）スライドさせた画像、画像Ａの右の所定量を除いた部分と画像Ｂの右側の所定量の部分を含む画像が表示される。
【００３３】
領域特定部１８ｇは、操作キー判断部１８ｃから領域特定信号があると、メモリ１７に記憶されている画像データを基に、表示部１３の予め定められた領域に表示されている画像データの領域を特定し、特定した画像データの領域を示す領域信号を付属情報特定部１８ｈへ出力する。付属情報特定部１８ｈは、領域特定部１８ｇから領域信号があると、領域信号が示す画像データの領域を基に、その領域に割り当てられた付属情報データをメモリ１７から特定して取り出し、取り出した付属情報データを付属情報出力処理部１８ｉへ出力する。付属情報出力処理部１８ｉは、付属情報特定部１８ｇから付属情報データを受け取ると、受け取った付属情報データを基に付属情報を表示部１３或いはスピーカ１６へ出力する。付属情報出力処理部１８ｉが表示部１３に表示する付属情報の一例が図４に示されており、付属情報には店舗の電話番号や住所や営業時間などが含まれているとともに、付属情報から店舗の所在地を示す地図を表示させ、また、アドレス帳への登録が可能になっている。また、図示はしないが、付属情報としての画像データが表示部１３の縦方向の画面サイズより大きく、横方向のサイズより小さい画像の場合、その画像の上から或いは下から連続的に画像を移動させて表示させる。
【００３４】
次に、携帯電話機１において行われるスクロール表示処理および付属情報出力処理について図５を参照しつつ説明する。図５は携帯電話機１が行うスクロール表示処理および付属情報出力処理の手順を示すフローチャートである。
【００３５】
まず、携帯電話機１の利用者が操作部１４を操作して閲覧したい画像データやこれに従属した付属情報データなどからなるコンテンツのＵＲＬを入力すると、通信処理部１８ａによりアンテナ１１および無線部１２を介して画像データや付属情報データが取得され（ステップＳ１０１）、取得された画像データや付属情報データがメモリ１７に記憶される（ステップＳ１０２）。そして、初期表示処理部１８ｂは、メモリ１７に記憶された画像データを基に、表示部１３に１ページ目の画像データを表示する（ステップＳ１０３）。
【００３６】
操作キー判断部１８ｃは操作部１４の何れかのキーに対する利用者の操作（押下）があったか否かを判断する（ステップＳ１０４）。キー操作がなかったと判断された場合には（Ｓ１０４：ＮＯ）ステップＳ１０４の処理へ戻り、キー操作があったと判断された場合には（Ｓ１０４：ＹＥＳ）ステップＳ１０５の処理へ進む。続いて、操作キー判断部１８ｃは操作されたキーがスクロール割当キー（本実施の形態では十字キー１４ｂ）であるか否かを判断する（ステップＳ１０５）。スクロール割当キーであると判断された場合には（Ｓ１０５：ＹＥＳ）ステップＳ１０６の処理へ進み、スクロール割当キーでないと判断された場合には（Ｓ１０５：ＮＯ）ステップＳ１０９の処理へ進む。
【００３７】
操作キー判断部１８ｃはスクロール割当キーである十字キー１４ｃのうち何れが操作されたかを判断してスクロール方向を特定し、残表示量判断部１８ｄは特定されたスクロール方向にスクロールさせるための画像データが１画面分以上残っているかを判断する（ステップＳ１０６）。１画面分以上の画像データが残っていると判断された場合には（Ｓ１０６：ＹＥＳ）ステップＳ１０７の処理へ進む。そして、表示スクロール部１８ｅは操作キー判断部１８ｃにより特定されたスクロール方向に、表示部１３の表示内容をアニメーションさせながら１画面分スクロールさせ（図３（ａ），（ｂ）参照）（ステップＳ１０７）、ステップＳ１０４の処理へ戻る。
【００３８】
一方、１画面分の画像データが残っていないと判断された場合には（Ｓ１０６：ＮＯ）ステップＳ１０８の処理へ進む。そして、表示スクロール部１８ｅは操作キー判断部１８ｃにより特定されたスクロール方向に、表示部１３の表示内容をアニメーションさせながら残っている画像データ分スクロールさせ、残っている画像データ分スクロールさせた時点で表示内容のスクロールを中断し（図３（ａ），（ｃ）参照）（ステップＳ１０８）、ステップＳ１０４の処理へ戻る。
【００３９】
操作キー判断部１８ｃは操作されたキーがスライド割当該当キー（本実施の形態では数字キー１４ａのうちの該当するキー）であるか否かを判断する（ステップＳ１０９）。スライド割当キーであると判断された場合には（Ｓ１０９：ＹＥＳ）ステップＳ１１０の処理へ進み、スライド割当キーでないと判断された場合には（Ｓ１０９：ＮＯ）ステップＳ１１１の処理へ進む。
【００４０】
操作キー判断部１８ｃはスライド割当キーである数字キー１４ａのうち何れが操作されたかを判断してスライド方向を特定し、表示スライド部１８ｆは表示部１３の表示内容を特定されたスライド方向にスライドさせ（図３（ａ），（ｄ）参照）（ステップＳ１１０）、ステップＳ１０４の処理へ戻る。
【００４１】
操作キー判断部１８ｃは操作されたキーが付属出力割当キー（本実施の形態では確定キー１４ｄ）であるか否かを判断する（ステップＳ１１１）。付属出力割当キーであると判断された場合には（Ｓ１１１：ＹＥＳ）ステップＳ１１２の処理へ進み、付属出力割当キーでないと判断された場合には（Ｓ１１１：ＮＯ）ステップＳ１１５の処理へ進む。そして、終了キーとして割り当てられたキーに対する操作であるかを判断し（ステップＳ１１５）、終了キーであると判断された場合には（Ｓ１１５：ＹＥＳ）処理を終了し、終了キーでないと判断されれば（Ｓ１１５：ＮＯ）操作されたキーに対応した処理が行われる（ステップＳ１１６）。
【００４２】
領域特定部１８ｇは付属出力割当キーが操作された時点で、表示部１３の予め定められた領域に表示されている画像データの領域を特定する（ステップＳ１１２）。続いて、付属情報特定部１８ｈはステップＳ１１２において特定された画像の領域に割り当てられた付属情報データをメモリ１７の記憶内容に基づいて特定して取り出す（ステップＳ１１３）。さらに続いて、付属情報出力処理部１８ｉはステップＳ１１３で特定して取り出された付属情報データを基に付属情報を表示部１３に表示し、あるいは、スピーカ１６から出力し（ステップＳ１１４）、ステップＳ１０４の処理へ戻る。
【００４３】
以上説明した本実施の形態によれば、１回の操作で１画面分の表示内容をアニメーションさせながらスクロールさせるため、少ない操作回数で且つスクロール前後の表示箇所の関係を把握しながら情報全体を閲覧することが可能になる。特に、１回のスクロール指示操作で１画面分スクロールするようにしているため、情報全体を閲覧するのに必要な操作回数が最小限になるという利点がある。
【００４４】
また、付属情報を出力させたい場合、その付属情報を割り当てた画像の領域を表示部１３の表示部の予め定められた領域にスクロール割当キーやスライド割当キーを利用して移動させればよいので、簡単な操作で付属情報を閲覧し、或いは、聞くことができる。
【００４５】
以上、本発明の好適な実施の形態について説明したが、本発明は上述の実施の形態に限られるものではなく、特許請求の範囲に記載した限りにおいて様々な設計変更が可能なものである。例えば、本実施の形態では１回で１画面分スクロールさせる構成としているが、これに限らず、１回でスクロールさせる量をスクロール方向の表示部１３の表示画面の９５パーセントや９０パーセントなど特に限定されるものではない。
【００４６】
尚、上述した各処理部の機能を実現するためのプログラムをコンピュータ読み取り可能な記録媒体に記録して、この記録媒体に記録されたプログラムをコンピュータシステムに読み込ませ、実行することにより上記各種処理を行ってもよい。尚、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。更に、前述した機能をコンピュータシステムにすでに記録されているプログラムとの組み合わせで実現できるもの、いわゆる差分ファイル（差分プログラム）であっても良い。
【図面の簡単な説明】
【００４８】
【図１】本発明の実施の形態における携帯電話機の斜視図。
【図２】図１の携帯電話機の機能を説明するための機能ブロック図。
【図３】図１の携帯電話機の表示部の変わる様子を説明するための説明図。
【図４】図１の表示部に表示される付属情報を説明するための説明図。
【図５】図１の携帯電話機が行うスクロール表示処理および付属情報出力処理の手順を示すフローチャート。
【符号の説明】
【００４９】
１  携帯電話機、  １３  表示部、  １４  操作部、  １８  制御部、  １８ａ  通信処理部、  １８ｂ  初期表示処理部、  １８ｃ  操作キー判断部、  １８ｄ  残表示量判断部、  １８ｅ  表示スクロール部、  １８ｆ  表示スライド部、  １８ｇ  領域特定部、  １８ｈ  付属情報特定部、  １８ｉ  付属情報出力処理部
【図１】
2006099580.tif 000003
【図２】
2006099580.tif 000004
【図３】
2006099580.tif 000005
【図４】
2006099580.tif 000006
【図５】
2006099580.tif 000007